(57)【要約】【課題】複数の月にまたがる予定の記入や過去の記録の確認が容易であり、かつ、用紙の枚数を節約して紙資源の有効活用を図ることが可能なカレンダーを提供する。【解決手段】カレンダー１ａは、上部に吊下げ具２が取り付けられるとともにシート配置部３ｅ〜３ｈの周囲にスリット状のシート差込口４ａ〜７ａ、４ｂ〜７ｂが形成された台紙３と、中央の折り位置８ｃで二つに折り曲げられて形成される表頁９ａ、見開き頁９ｂ，９ｃ及び裏頁９ｄに１ヶ月の暦が印刷されてそれぞれ日付表示部を構成する日付表示シート４〜７とを備え、日付表示シート４〜７は捲られた頁が互いに重なるように折り位置８ｃが台紙３の綴じ部３ａ〜３ｄに糸あるいはステープル等の細い金属線を用いて綴じられ、日付表示シート４〜７の日付表示部により４ヶ月分の暦が常に右回りに連続した状態で表示されるものである。【選択図】図１
0003143514.tif 000002
【実用新案登録請求の範囲】
【請求項１】
台紙上に縦横２列ずつ配列されるとともに１ヶ月分の暦がそれぞれ記載された日付表示部により４ヶ月分の暦が右回り又は左回りに連続した状態で表示されるカレンダーであって、中央部で二つに折り曲げられて形成される表頁、第１の見開き頁、第２の見開き頁及び裏頁からなる各頁に前記日付表示部が設けられた日付表示シートを備え、前記台紙上の４ヶ所に綴じ部が十字をなすように設けられ、前記日付表示シートは捲られた頁が互いに重なるように前記中央部が前記綴じ部にそれぞれ綴じられるとともに、１枚ずつ頁が捲られて最先の月の暦が記載された前記日付表示部が隠されることにより前記４ヶ月分の暦の表示が１ヶ月後ろにずれた状態に更新されるように形成されることを特徴とするカレンダー。
【請求項２】
前記日付表示シートは、最後の月の暦が記載された一の頁が捲られて最先の月の暦が記載された他の頁に重ねられることにより前記４ヶ月分の暦の表示が１ヶ月後ろにずれた状態に更新されるように形成されることを特徴とする請求項１に記載のカレンダー。
【請求項３】
前記日付表示部は、前記台紙上に前記日付表示シートが配置される箇所に形成されることを特徴とする請求項１に記載のカレンダー。
【請求項４】
前記日付表示部は、頁が１枚ずつのみならず、２枚同時に捲られて最先の月の暦が記載された前記日付表示部が隠されるように形成されることを特徴とする請求項３に記載のカレンダー。
【請求項５】
前記台紙は、前記日付表示シートの端部を差し込み可能に形成されるスリット状のシート差込口を有することを特徴とする請求項１乃至請求項４のいずれか１項に記載のカレンダー。
【請求項６】
前記台紙の前記綴じ部に綴じ穴が形成され、前記日付表示シートは中央部で二つに折り曲げられる代わりに端縁部近傍に綴じ具取付け穴を有する２枚の分割シートによって構成され、この２枚の分割シートは前記綴じ具取付け穴が綴じ具を用いて前記綴じ穴にそれぞれ綴じられて前記表頁、前記第１の見開き頁、前記第２の見開き頁及び前記裏頁が形成され、この各頁に前記日付表示部が設けられたことを特徴とする請求項１乃至請求項５のいずれか１項に記載のカレンダー。
【考案の詳細な説明】
【技術分野】
【０００１】
本考案は、毎月の予定を記入できるカレンダーに係り、特に、連続する４ヶ月分の暦を同時に表示し、その表示を１ヶ月ずつ後ろにずれた状態に順次更新することが可能なカレンダーに関する。
【背景技術】
【０００２】
「月めくりカレンダー」は、１ヶ月分の暦が表示された頁をめくったり、切り取ったりすることによって表示を最新の状態に切り替えるものであり、通常、各頁に予定を記入できるようになっている。しかしながら、「月めくりカレンダー」には、月をまたがった予定に関しては一目で確認することができないという課題があった。また、頁を切り取ってしまうと、例えば、先月の予定を確認することができなくなるという課題があった。そこで、このような課題に対処するものとして、従来、数ヶ月分の暦を同時に表示できるカレンダーに関して様々な提案がなされており、それに関して既に多くの発明や考案が開示されている。
【０００３】
例えば、特許文献１には、「多数月表示を有する月めくりカレンダー」という名称で、連続する２ヶ月あるいは３ヶ月の７曜日付を同時に表示することが可能なカレンダーに関する考案が開示されている。
特許文献１に開示された考案である「月めくりカレンダー」は、主表示区画と副表示区画とを有するカレンダーシートが複数枚重ねられるとともに、末尾以外のカレンダーシートに切欠部が形成された構造となっている。
上記構造の「月めくりカレンダー」においては、切欠部から次のカレンダーシートの副表示区画が露出されるため、連続する２ヶ月あるいは３ヶ月の７曜日付を同時に表示することが可能である。
【０００４】
また、特許文献２には、３ヶ月分の暦を同時に表示することができる「カレンダー」に関する発明が開示されている。
特許文献２に開示された発明は、１月、４月、７月及び１０月分のカレンダー用紙を順次重ねたカレンダー用紙積層体と、２月、５月、８月及び１１月分のカレンダー用紙を順次重ねたカレンダー用紙積層体と、３月、６月、９月及び１１月分のカレンダー用紙を順次重ねたカレンダー用紙積層体と、これら３つのカレンダー用紙積層体を着脱自在に支持して同時に表示させる支持体とを有するものである。そして、支持体は対向する二つの突出片からなるスライドレールを有しており、このスライドレールにカレンダー用紙積層体の上辺に沿って設けられた帯状の凸部を嵌合させることによりカレンダー用紙積層体を着脱自在に支持する構造となっている。
上記構造の「カレンダー」においては、最表部に表示された３ヶ月分の暦が連続し、かつ、当月分が端にくるように３つのカレンダー用紙積層体を配置しておき、月が替わった場合に、それらを支持体の一方の側にスライドさせて不用になった月が表示されているカレンダー用紙積層体を取り出して最表部の暦を破り捨てた後、支持体の他方の側から挿入して設置することによれば、最表部の表示を１ヶ月分ずらした状態に切り替えることができる。
【０００５】
さらに、特許文献３には、予定帳として利用できる「卓上カレンダー」に関する考案が開示されている。
特許文献３に開示された考案は、カレンダーシートに切り込みを入れて少なくとも２以上の日付表示部を形成したことを特徴としている。
上記構造の「卓上カレンダー」においては、カレンダーシートに少なくとも２ヶ月分以上の日付表示部が形成されていることから、前月の予定を見ながら今月の予定を記入することができる。また、連続する３ヶ月分の予定を確認する場合にカレンダーシートをめくる必要がないため、使い勝手が良い。
【特許文献１】実開平５−２４３７７号公報
【特許文献２】特開２０００−３４８５９号公報
【特許文献３】実用新案登録第３０２８２２３号公報
【考案の開示】
【考案が解決しようとする課題】
【０００６】
しかしながら、上述の従来技術である特許文献１に開示された考案においては、主表示区画より小さい副表示区画には予定を記入できないおそれがある。この場合、複数月の七曜日付は表示できても予定については複数月分を同時に表示することができない。また、主表示区画に２ヶ月分の表示をした場合でも、カレンダーシートが６枚必要であり、紙資源の有効活用がなされないという課題があった。
【０００７】
特許文献２に開示された発明においては、カレンダー用紙積層体の最表部の表示を切り替える際に不用な月の暦を破り捨てる構成となっているため、過去の予定を遡って確認することができないという課題があった。
【０００８】
また、特許文献３に開示された考案においては、カレンダーシートの表面にのみ日付表示部が形成され、カレンダーシートの裏面は有効に利用されていないという課題があった。また、めくったカレンダーシートを固定する構造となっておらず、壁等に吊るして使用することができないため、カレンダーは卓上で邪魔にならない程度の大きさのものに限定されてしまう。そのため、表示する月数が多いと日付表示部の大きさが小さくなり、予定を記入し難くなるという課題があった。
【０００９】
本考案はかかる従来の事情に対処してなされたものであり、複数の月にまたがる予定の記入や過去の記録の確認が容易であり、かつ、用紙の枚数を節約して紙資源の有効活用を図ることが可能なカレンダーを提供することを目的とする。
【課題を解決するための手段】
【００１０】
上記目的を達成するため、請求項１記載の考案であるカレンダーは、台紙上に縦横２列ずつ配列されるとともに１ヶ月分の暦がそれぞれ記載された日付表示部により４ヶ月分の暦が右回り又は左回りに連続した状態で表示されるカレンダーであって、中央部で二つに折り曲げられて形成される表頁、第１の見開き頁、第２の見開き頁及び裏頁からなる各頁に日付表示部が設けられた日付表示シートを備え、台紙上の４ヶ所に綴じ部が十字をなすように設けられ、日付表示シートは捲られた頁が互いに重なるように中央部が綴じ部にそれぞれ綴じられるとともに、１枚ずつ頁が捲られて最先の月の暦が記載された日付表示部が隠されることにより４ヶ月分の暦の表示が１ヶ月後ろにずれた状態に更新されるように形成されることを特徴とするものである。
このような構造のカレンダーにおいては、日付表示シートの所定の頁を捲ることにより、最も古い月の暦が最も新しい月の暦と入れ替わるという作用を有する。
【００１１】
また、請求項２記載の考案は、請求項１に記載のカレンダーにおいて、日付表示シートは、最後の月の暦が記載された一の頁が捲られて最先の月の暦が記載された他の頁に重ねられることにより４ヶ月分の暦の表示が１ヶ月後ろにずれた状態に更新されるように形成されることを特徴とするものである。
このような構造のカレンダーにおいては、右回り又は左回りに順番に日付表示シートの頁を捲ることによって４ヶ月分の暦の表示が１ヶ月後ろにずれた状態に順次更新されるという作用を有する。
【００１２】
請求項３記載の考案は、請求項１に記載のカレンダーにおいて、日付表示部は、台紙上に日付表示シートが配置される箇所にも形成されることを特徴とするものである。
このような構造のカレンダーにおいては、最前部に４ヶ月分の暦を表示させるために必要な日付表示部の組み合わせパターンが増えるという作用を有する。
【００１３】
請求項４記載の考案は、請求項３に記載のカレンダーにおいて、日付表示部は、頁が１枚ずつのみならず、２枚同時に捲られて最先の月の暦が記載された日付表示部が隠されるように形成されることを特徴とするものである。
このような構造のカレンダーにおいては、請求項３に記載の考案と同様の作用を有する。
【００１４】
請求項５記載の考案は、請求項１乃至請求項４のいずれか１項に記載のカレンダーにおいて、台紙は、日付表示シートの端部を差し込み可能に形成されるスリット状のシート差込口を有することを特徴とするものである。
このような構造のカレンダーにおいては、日付表示シートの頁が勝手に替わらないように端部がシート差込口によって確実に固定されるという作用を有する。
【００１５】
請求項６記載の考案は、請求項１乃至請求項５のいずれか１項に記載のカレンダーにおいて、台紙の綴じ部に綴じ穴が形成され、日付表示シートは中央部で二つに折り曲げられる代わりに端縁部近傍に綴じ具取付け穴を有する２枚の分割シートによって構成され、この２枚の分割シートは綴じ具取付け穴が綴じ具を用いて綴じ穴にそれぞれ綴じられて表頁、第１の見開き頁、第２の見開き頁及び裏頁が形成され、この各頁に日付表示部が設けられたことを特徴とするものである。
このような構造のカレンダーにおいては、日付表示シートが中央部で二つに折り曲げられた形状ではないことから、表頁又は裏頁を捲った際に頁を閉じさせる向きに働く力が生じ難い。
【考案の効果】
【００１６】
以上説明したように、本考案の請求項１に記載のカレンダーにおいては、所望の４ヶ月分の暦を連続させて表示できる。これにより、コンパクトに形成される小面積のカレンダーであっても複数の月にまたがる予定を記入したり、確認したりする作業を容易に行うことができる。また、日付表示シートの全ての頁に日付表示部が形成されるため、日付表示シートの頁数を少なくして紙資源の有効活用を図ることが可能である。
【００１７】
本考案の請求項２に記載のカレンダーにおいては、日付表示シートの頁を捲る順番や方向が規則的であり、覚え易いため、取扱いが容易である。従って、頁を捲る順番や方向を示す記号について日付表示部への記載を省略することが可能である。
【００１８】
本考案の請求項３に記載のカレンダーにおいては、日付表示シートの最前部の頁のみを捲ることによって４ヶ月分の暦を１ヶ月後ろにずれた状態に順次更新することができる。この場合、日付表示シートについて他の頁の後に隠れた頁を捲る必要がないため、暦の表示を更新する作業を円滑に行うことができる。
【００１９】
本考案の請求項４に記載のカレンダーにおいては、請求項３に記載の考案と同様の効果を奏する。
【００２０】
本考案の請求項５に記載のカレンダーにおいては、日付表示シートの頁が勝手に捲れて、違う頁が表示されてしまうおそれがない。従って、日付表示部による暦の表示状態が安定する。
【００２１】
本考案の請求項６に記載のカレンダーにおいては、日付表示シートの表頁又は裏頁を捲った場合に、その頁が勝手に閉じるおそれがない。従って、暦の表示を切り替える際の作業を円滑に行うことができる。
【考案を実施するための最良の形態】
【００２２】
以下に、本考案の最良の実施の形態に係るカレンダーの実施例について説明する。
【実施例１】
【００２３】
実施例１のカレンダーについて図１乃至図３を用いて説明する（特に請求項１、請求項２及び請求項５に対応）。
図１（ａ）は本考案の実施の形態に係るカレンダーの実施例１の外観図であり、（ｂ）及び（ｃ）はそれぞれ日付表示シートの外観斜視図及び台紙の正面図である。なお、図１（ａ）において日付表示部に記載された丸数字及び矢印は、各頁を捲る順番と捲る方向を示している。
図１（ａ）乃至（ｃ）に示すように、本実施例のカレンダー１ａは、上部に吊下げ具２が取り付けられた台紙３と、この台紙３に縦横２列ずつ設けられたシート配置部３ｅ〜３ｈにそれぞれ配置される日付表示シート４〜７とを備え、この日付表示シート４〜７に設けられた日付表示部により４ヶ月分の暦が常に右回りに連続した状態で表示されるものである。なお、吊下げ具２には壁等に設置された掛け具（図示せず）にカレンダー１ａを掛けるための吊下げ孔２ａが設けられている。
日付表示シート４〜７は中央の折り位置８ｃで二つに折り曲げられて表頁９ａ、見開き頁９ｂ，９ｃ及び裏頁９ｄが形成され、これらの頁には１ヶ月分の暦が印刷されてそれぞれ日付表示部を構成している。また、台紙３には十字をなすように綴じ部３ａ〜３ｄが設けられており、日付表示シート４〜７は捲られた頁が互いに重なるように折り位置８ｃが糸あるいはステープル等の細い金属線を用いて綴じ部３ａ〜３ｄにそれぞれ綴じられている。さらに、シート配置部３ｅ〜３ｈの周囲には日付表示シート４〜７の端部８ａ，８ｂを差し込み可能にスリット状のシート差込口４ａ〜７ａ，４ｂ〜７ｂが形成されている。
【００２４】
日付表示シート４について図２を用いて詳しく説明する。
図２（ａ）乃至（ｃ）は図１（ａ）の部分拡大図である。なお、図１に示した構成要素については同一の符号を付してその説明を省略する。また、図２において矢印Ａは表頁９ａを捲ることを表し、矢印Ｂは見開き頁９ｃを捲ることを表している。さらに、本実施例のカレンダー１ａでは、後述するように日付表示シート４の見開き頁９ｃを使用しないため、図２（ｂ）では見開き頁９ｃを印刷がない状態として示している。
図２（ａ）に示すように、日付表示シート４の端部８ａ，８ｂがシート差込口４ｂに差し込まれている場合、表頁９ａによって１月の暦が表示される。次に、日付表示シート４の表頁９ａを矢印Ａの向きに捲って端部８ａをシート差込口４ａに差し込むと、図２（ｂ）に示すように見開き頁９ｂによって８月の暦が表示される。さらに、日付表示シート４の見開き頁９ｃを矢印Ｂの向きに捲って端部８ｂをシート差込口４ａに差し込むと、図２（ｃ）に示すように裏頁９ｄによって１２月の暦が表示される。
このように、日付表示シート４においては所望の頁を上下に捲ることにより暦の表示が更新される。また、台紙３の綴じ部３ｃに折り位置８ｃが綴じられた日付表示シート６においても同様に所望の頁を上下に捲ることによって暦の表示が更新される。なお、台紙３の綴じ部３ｂ，３ｄにそれぞれ折り位置８ｃが綴じられた日付表示シート５，７では、所望の頁を左右に捲ることにより暦の表示が更新される。
【００２５】
次に、カレンダー１ａにおいて日付表示シート４〜７を捲って暦の表示を更新する手順について図３を用いて説明する。
図３（ａ）乃至（ｉ）は図１（ａ）を模式的に示した図である。なお、図１に示した構成要素については同一の符号を付してその説明を省略する。また、図３（ａ）乃至（ｉ）において矢印Ｃは表頁９ａを捲ることを表し、矢印Ｄは見開き頁９ｃを捲ることを表している。さらに、日付表示部に記載された丸数字及び矢印は、各頁を捲る順番と捲る方向を示している。そして、破線の矢印が付された頁は、その頁の下に隠れた頁を捲る順番とその方向を示している。また、便宜上、日付表示部の図示を簡略化している。ここで、日付表示シート４〜７について各頁の日付表示部に記載される暦の内容を表１に示す。
【００２６】
【表１】
0003143514.tif 000003
【００２７】
図３（ａ）に示すように、本実施例のカレンダー１ａでは、まず、日付表示シート４〜７によって１〜４月の暦が表示される。次に、丸数字１と左向き矢印が付された日付表示シート５の表頁９ａを矢印Ｃの向きに捲り、日付表示シート４の表頁９ａの上に日付表示シート５の見開き頁９ｂを重ねるとともに、日付表示シート５の端部８ａをシート差込口５ａに差し込む。これにより、図３（ｂ）に示すように日付表示シート５の見開き頁９ｂによって１月の暦の代わりに５月の暦が表示され、日付表示シート５の表頁９ａの代わりに見開き頁９ｃによって２月の暦が表示される。さらに、丸数字２と上向き矢印が付された日付表示シート６の表頁９ａを矢印Ｃの向きに捲り、日付表示シート５の見開き頁９ｃの上に日付表示シート６の見開き頁９ｂを重ねるとともに、日付表示シート６の端部８ａをシート差込口６ａに差し込む。これにより、図３（ｃ）に示すように日付表示シート６の見開き頁９ｂによって２月の暦の代わりに６月の暦が表示され、日付表示シート６の表頁９ａの代わりに見開き頁９ｃによって３月の暦が表示される。そして、丸数字３と右向き矢印が付された日付表示シート７の表頁９ａを矢印Ｃの向きに捲り、日付表示シート６の見開き頁９ｃの上に日付表示シート７の見開き頁９ｂを重ねるとともに、日付表示シート７の端部８ａをシート差込口７ａに差し込む。これにより、図３（ｄ）に示すように日付表示シート７の見開き頁９ｂによって３月の暦の代わりに７月の暦が表示され、日付表示シート７の表頁９ａの代わりに見開き頁９ｃによって４月の暦が表示される。
図３（ｄ）において、丸数字４と下向き破線矢印が付された日付表示シート５の見開き頁９ｂの下に隠れた日付表示シート４の表頁９ａを矢印Ｄの向きに捲り、日付表示シート７の見開き頁９ｃの上に日付表示シート４の見開き頁９ｂを重ねるとともに、日付表示シート４の端部８ａをシート差込口４ａに差し込む。これにより、図３（ｅ）に示すように日付表示シート４の見開き頁９ｂによって４月の暦の代わりに８月の暦が表示される。さらに、丸数字５と左向き破線矢印が付された日付表示シート６の見開き頁９ｂの下に隠れた日付表示シート５の見開き頁９ｃを矢印Ｄの向きに捲り、日付表示シート５の見開き頁９ｂの上に裏頁９ｄを重ねるとともに、日付表示シート５の端部８ｂをシート差込口５ａに差し込む。これにより、図３（ｆ）に示すように５月の暦の代わりに日付表示シート５の裏頁９ｄによって９月の暦が表示される。次に、丸数字６と上向き破線矢印が付された日付表示シート７の見開き頁９ｂの下に隠れた日付表示シート６の見開き頁９ｃを矢印Ｄの向きに捲り、日付表示シート６の見開き頁９ｂの上に裏頁９ｄを重ねるとともに、日付表示シート６の端部８ｂをシート差込口６ａに差し込む。これにより、図３（ｇ）に示すように６月の暦の代わりに日付表示シート６の裏頁９ｄによって１０月の暦が表示される。そして、丸数字７と右向き破線矢印が付された日付表示シート４の見開き頁９ｂの下に隠れた日付表示シート７の見開き頁９ｃを矢印Ｄの向きに捲り、日付表示シート７の見開き頁９ｂの上に裏頁９ｄを重ねるとともに、日付表示シート７の端部８ｂをシート差込口７ａに差し込む。これにより、図３（ｈ）に示すように７月の暦の代わりに日付表示シート７の裏頁９ｄによって１１月の暦が表示される。最後に、丸数字８と下向き破線矢印が付された日付表示シート５の裏頁９ｄの下に隠れた日付表示シート４の見開き頁９ｃを矢印Ｄの向きに捲り、日付表示シート４の見開き頁９ｂの上に裏頁９ｄを重ねるとともに、日付表示シート４の端部８ｂをシート差込口４ａに差し込む。これにより、図３（ｉ）に示すように８月の暦の代わりに日付表示シート４の裏頁９ｄによって１２月の暦が表示される。
【００２８】
上記構造のカレンダー１ａにおいては、日付表示シート４〜７のうち最先の月の暦が記載された表頁９ａ又は見開き頁９ｂ，９ｃに最後の月の暦が記載された見開き頁９ｂ又は裏頁９ｄを重ねることにより、右回りに連続した状態で表示される４ヶ月分の暦が１ヶ月後ろにずれた状態に順次更新されるという作用を有する。また、日付表示シート４〜７の各頁が勝手に替わらないように端部８ａ，８ｂがシート差込口４ａ〜７ａ，４ｂ〜７ｂによって確実に固定されるという作用を有する。
【００２９】
以上説明したように、本実施例のカレンダー１ａにおいては、日付表示シート４〜７の日付表示部によって１〜１２月のうちの連続する所望の４ヶ月分の暦を同時に表示させることができる。この場合、複数の月にまたがる予定であっても容易に記入や確認を行うことが可能である。また、日付表示シート４〜７の全ての頁を日付表示部とすることで、日付表示シート４〜７の頁数を少なくして紙資源の有効活用を図ることができる。さらに、日付表示シート４〜７の頁を捲る順番や方向が規則的であるため、覚え易く、暦を更新する作業が容易である。従って、例えば、図１及び図３に示したような日付表示シート４〜７の頁を捲る順番や方向を示す記号を省略することが可能である。そして、日付表示シート４〜７の各頁が勝手に捲れて、違う頁が表示されてしまうおそれがないため、４ヶ月分の暦を安定した状態で表示させることができる。
【００３０】
本実施例のカレンダー１ａの構成は図１乃至図３に示すものに限定されるものではない。例えば、日付表示シート５〜７のうちのいずれかの表頁９ａに１月の暦が印刷されるような構成としても良い。また、日付表示部によって表示される４ヶ月分の暦が左向きに連続した状態となるように日付表示シート４〜７を構成することもできる。
【実施例２】
【００３１】
実施例２について図４及び図５を用いて説明する（特に請求項３に対応）。
図４は本考案の実施の形態に係るカレンダーの実施例２の外観図である。また、図５（ａ）乃至（ｉ）は図４を模式的に示した図であり、図３（ａ）乃至（ｉ）に対応している。なお、図４及び図５において日付表示部に記載された丸数字及び矢印は、各頁を捲る順番とその方向を示している。また、以下の説明において、図１乃至図３を用いて既に説明した構成要素については同一の符号を付してその説明を省略する。
図４に示すように、本実施例のカレンダー１ｂは、実施例１のカレンダー１ａにおいてシート配置部３ｅ〜３ｈにも日付表示部を形成したことを特徴とする。なお、シート差込口４ａ〜７ａ，４ｂ〜７ｂの符号の付け方は実施例１の場合と異なっている。また、日付表示シート４〜７及びシート配置部３ｅ〜３ｈの日付表示部にそれぞれ印刷される１ヶ月分の暦の内容を表２，３に示す。
【００３２】
【表２】
0003143514.tif 000004
【００３３】
【表３】
0003143514.tif 000005
【００３４】
図５（ａ）に示すように、本実施例のカレンダー１ｂでは、まず、シート配置部３ｅ，３ｇ及び日付表示シート５，７によって１〜４月の暦が表示される。次に、丸数字１と左向き矢印が付された日付表示シート５の表頁９ａを矢印Ｃの向きに捲り、シート配置部３ｅの上に日付表示シート５の見開き頁９ｂを重ねるとともに、日付表示シート５の端部８ａをシート差込口５ａに差し込む。これにより、図５（ｂ）に示すように日付表示シート５の表頁９ａの代わりに見開き頁９ｃによって２月の暦が表示され、シート配置部３ｅの代わりに日付表示シート５の見開き頁９ｂによって５月の暦が表示される。さらに、丸数字２と左向き矢印が付された日付表示シート５の見開き頁９ｃを矢印Ｄの向きに捲り、日付表示シート５の見開き頁９ｂの上に裏頁９ｄを重ねるとともに、日付表示シート５の端部８ｂをシート差込口５ａに差し込む。これにより、図５（ｃ）に示すように２月の暦の代わりに日付表示シート６の表頁９ａによって６月の暦が表示され、日付表示シート５の見開き頁９ｂの代わりに裏頁９ｄによって５月の暦が表示される。そして、丸数字３と右向き矢印が付された日付表示シート７の表頁９ａを矢印Ｃの向きに捲り、シート配置部３ｇの上に日付表示シート７の見開き頁９ｂを重ねるとともに、日付表示シート７の端部８ａをシート差込口７ａに差し込む。これにより、図５（ｄ）に示すように３月の暦の代わりに日付表示シート７の見開き頁９ｂによって７月の暦が表示され、日付表示シート７の表頁９ａの代わりに見開き頁９ｃによって４月の暦が表示される。
図５（ｄ）において、丸数字４と右向き矢印が付された日付表示シート７の見開き頁９ｃを矢印Ｄの向きに捲り、日付表示シート７の見開き頁９ｂの上に裏頁９ｄを重ねるとともに、日付表示シート７の端部８ｂをシート差込口７ａに差し込む。これにより、図５（ｅ）に示すように４月の暦の代わりに日付表示シート４の表頁９ａによって８月の暦が表示され、日付表示シート７の見開き頁９ｂの代わりに裏頁９ｄによって７月の暦が表示される。さらに、丸数字５と上向き矢印が付された日付表示シート４の表頁９ａを矢印Ｃの向きに捲り、日付表示シート５の裏頁９ｄの上に日付表示シート４の見開き頁９ｂを重ねるとともに、日付表示シート４の端部８ａをシート差込口４ａに差し込む。これにより、図５（ｆ）に示すように５月の暦の代わりに日付表示シート４の見開き頁９ｂによって９月の暦が表示され、日付表示シート４の表頁９ａの代わりに見開き頁９ｃによって８月の暦が表示される。次に、丸数字６と下向き矢印が付された日付表示シート６の表頁９ａを矢印Ｃの向きに捲り、日付表示シート７の裏頁９ｄの上に日付表示シート６の見開き頁９ｂを重ねるとともに、日付表示シート６の端部８ａをシート差込口６ａに差し込む。これにより、図５（ｇ）に示すように６月の暦の代わりに日付表示シート６の見開き頁９ｃによって１０月の暦が表示され、日付表示シート７の裏頁９ｄの代わりに日付表示シート６の見開き頁９ｂによって７月の暦が表示される。そして、丸数字７と下向き矢印が付された日付表示シート６の見開き頁９ｃを矢印Ｄの向きに捲り、日付表示シート６の見開き頁９ｂの上に裏頁９ｄを重ねるとともに、日付表示シート６の端部８ｂをシート差込口６ａに差し込む。これにより、図５（ｈ）に示すように７月の暦の代わりに日付表示シート６の裏頁９ｄによって１１月の暦が表示され、日付表示シート６の見開き頁９ｃの代わりにシート配置部３ｆによって１０月の暦が表示される。最後に、丸数字８と上向き矢印が付された日付表示シート４の見開き頁９ｃを矢印Ｄの向きに捲り、日付表示シート４の見開き頁９ｂの上に裏頁９ｄを重ねるとともに、日付表示シート４の端部８ｂをシート差込口４ａに差し込む。これにより、図５（ｉ）に示すように８月の暦の代わりにシート配置部３ｈによって１２月の暦が表示され、日付表示シート４の見開き頁９ｂの代わりに裏頁９ｄによって９月の暦が表示される。
【００３５】
上記構造のカレンダー１ｂにおいては、日付表示シート４〜７及びシート配置部３ｅ〜３ｈの日付表示部を組み合わせることにより所望の連続する４ヶ月分の暦を最前部に表示させる構成となっているが、その際に必要とされる日付表示部の組み合わせパターンは実施例１のカレンダー１ａに比べて多い。従って、図５を用いて説明したように、実施例１の場合とは異なり、日付表示シート４〜７において他の頁の後に隠れた頁を捲るという手順が発生しない。従って、暦の表示を更新する作業を円滑に行うことができる。
【実施例３】
【００３６】
実施例３について図６及び図７を用いて説明する（特に請求項４に対応）。
図６は本考案の実施の形態に係るカレンダーの実施例３の外観図である。また、図７（ａ）乃至（ｉ）は図６を模式的に示した図であり、図３（ａ）乃至（ｉ）に対応している。ここで、図６及び図７において日付表示部に記載された丸数字及び矢印は、各頁を捲る順番とその方向を示している。なお、各頁を捲る順番とその方向を示す記号は本実施例に示したものに限定されるものではなく、適宜変更可能である。また、以下の説明において、図１乃至図５を用いて既に説明した構成要素については同一の符号を付してその説明を省略する。
図６に示すように、本実施例のカレンダー１ｃは、実施例２のカレンダー１ｂにおいて、日付表示シート４〜７は頁が１枚ずつのみならず、２枚同時に捲られて最先の月の暦が記載された日付表示部が隠されるように形成されることを特徴としている。従って、シート差込口４ａ〜７ａ，４ｂ〜７ｂの符号の付け方は実施例２の場合と異なっている。また、カレンダー１ｃの日付表示部の構成は、表４，５に示すようにカレンダー１ｂの場合とは異なっている。
【００３７】
【表４】
0003143514.tif 000006
【００３８】
【表５】
0003143514.tif 000007
【００３９】
図７（ａ）に示すように、本実施例のカレンダー１ｃでは、まず、シート配置部３ｅ及び日付表示シート４〜６によって１〜４月の暦が表示される。次に、丸数字１と左向き矢印が付された日付表示シート５の表頁９ａを矢印Ｃの向きに捲り、シート配置部３ｅの上に日付表示シート５の見開き頁９ｂを重ねるとともに、日付表示シート５の端部８ａをシート差込口５ａに差し込む。これにより、図７（ｂ）に示すように１月の暦の代わりに日付表示シート５の見開き頁９ｂによって５月の暦が表示され、日付表示シート５の表頁９ａの代わりに見開き頁９ｃによって２月の暦が表示される。さらに、丸数字２と左向き矢印が付された日付表示シート５の見開き頁９ｃを矢印Ｄの向きに捲り、日付表示シート５の見開き頁９ｂの上に裏頁９ｄを重ねるとともに、日付表示シート５の端部８ｂをシート差込口５ａに差し込む。これにより、図７（ｃ）に示すように２月の暦の代わりにシート配置部３ｆによって６月の暦が表示され、日付表示シート５の見開き頁９ｂの代わりに裏頁９ｄによって５月の暦が表示される。そして、丸数字３と上向き二重矢印が付された日付表示シート６の表頁９ａと見開き頁９ｃを一緒に矢印Ｅの向きに捲り、シート配置部３ｆの上に日付表示シート６の裏頁９ｄを重ねるとともに、日付表示シート６の端部８ａ，８ｂをシート差込口６ａに差し込む。これにより、図７（ｄ）に示すように３月の暦の代わりにシート配置部３ｇによって７月の暦が表示され、シート配置部３ｆの代わりに日付表示シート６の裏頁９ｄによって６月の暦が表示される。
図７（ｄ）において、丸数字４と上向き矢印が付された日付表示シート４の表頁９ａを矢印Ｃの向きに捲り、日付表示シート５の裏頁９ｄの上に日付表示シート４の見開き頁９ｂを重ねるとともに、日付表示シート４の端部８ａをシート差込口４ａに差し込む。これにより、図７（ｅ）に示すように４月の暦の代わりに日付表示シート４の見開き頁９ｃによって８月の暦が表示され、日付表示シート５の裏頁９ｄの代わりに日付表示シート４の見開き頁９ｂによって５月の暦が表示される。さらに、丸数字５と上向き矢印が付された日付表示シート４の見開き頁９ｃを矢印Ｄの向きに捲り、日付表示シート４の見開き頁９ｂの上に裏頁９ｄを重ねるとともに、日付表示シート４の端部８ｂをシート差込口４ａに差し込む。これにより、図７（ｆ）に示すように５月の暦の代わりに日付表示シート４の裏頁９ｄによって９月の暦が表示され、日付表示シート４の見開き頁９ｃの代わりに日付表示シート７の表頁９ａによって８月の暦が表示される。次に、丸数字６と下向き矢印が付された日付表示シート６の裏頁９ｄを矢印Ｃの向きに捲り、シート配置部３ｇの上に日付表示シート６の見開き頁９ｃを重ねるとともに、日付表示シート６の端部８ｂをシート差込口６ｂに差し込む。これにより、図７（ｇ）に示すように６月の暦の代わりに日付表示シート６の見開き頁９ｂによって１０月の暦が表示され、シート配置部３ｇの代わりに日付表示シート６の見開き頁９ｃによって７月の暦が表示される。そして、丸数字７と右向き矢印が付された日付表示シート７の表頁９ａを矢印Ｃの向きに捲り、日付表示シート６の見開き頁９ｃの上に日付表示シート７の見開き頁９ｂを重ねるとともに、日付表示シート７の端部８ａをシート差込口７ａに差し込む。これにより、図７（ｈ）に示すように７月の暦の代わりに日付表示シート７の見開き頁９ｂによって１１月の暦が表示され、日付表示シート７の表頁９ａの代わりに見開き頁９ｃによって８月の暦が表示される。最後に、丸数字８と右向き矢印が付された日付表示シート７の見開き頁９ｃを矢印Ｄの向きに捲り、日付表示シート７の見開き頁９ｂの上に裏頁９ｄを重ねるとともに、日付表示シート７の端部８ｂをシート差込口７ａに差し込む。これにより、図７（ｉ）に示すようにシート配置部３ｈによって８月の暦の代わりに１２月の暦が表示され、日付表示シート７の見開き頁９ｂの代わりに裏頁９ｄによって１１月の暦が表示される。
【００４０】
上記構造のカレンダー１ｃによれば、所望の連続する４ヶ月分の暦を最前部に表示させるために必要な日付表示シート４〜７及びシート配置部３ｅ〜３ｈにおける日付表示部の組み合わせパターンが実施例１のカレンダー１ａに比べて多くなるという作用を有する。そして、本実施例の場合には、実施例１の場合とは異なり、日付表示シート４〜７において他の頁の後に隠れた頁を捲るという手順が発生しない。従って、実施例１の場合に比べて暦の表示を更新する作業を円滑に行うことが可能である。
【実施例４】
【００４１】
実施例４について図８を用いて説明する（特に請求項６に対応）。
図８（ａ）は本考案の実施の形態に係るカレンダーの実施例４の外観図であり、（ｂ）及び（ｃ）はそれぞれ日付表示シートの外観斜視図及び台紙の正面図である。なお、図８（ａ）において日付表示部に記載された丸数字及び矢印は、各頁を捲る順番と捲る方向を示している。また、以下の説明において、図１乃至図３を用いて既に説明した構成要素については同一の符号を付してその説明を省略する。
【００４２】
図８（ａ）乃至（ｃ）に示すように、本実施例のカレンダー１ｄは、実施例１のカレンダー１ａにおいて、日付表示シート４〜７が中央部で二つに折り曲げられた形状ではなく、端縁部８ｄの近傍に綴じ具取付け穴８ｅを有する２枚の分割シート１３ａ，１３ｂによって構成され、この分割シート１３ａ，１３ｂは綴じ具取付け穴８ｅが綴じ具１０を用いて台紙３の綴じ部３ａ〜３ｄに設けられた綴じ穴１１に綴じ具１０を用いてそれぞれ綴じられて表頁９ａ、見開き頁９ｂ，９ｃ及び裏頁９ｄが形成され、この各頁に日付表示部が設けられたことを特徴とする。そして、台紙３にシート差込口４ａ〜７ａ、４ｂ〜７ｂを設ける代わりに、磁石１２によって日付表示シート４〜７を挟持し、頁を固定する構造となっている。すなわち、台紙３の背面における磁石１２に対応する箇所には、図示しない磁石が設置されており、日付表示シート４〜７及び台紙３を挟持可能となっている。なお、磁石１２に吸着されるスチール製のボード等にカレンダー１ｄを掲示する場合には、台紙３の背面の磁石は省略することができる。また、日付表示シート４〜７における頁の固定具は磁石１２に限定されるものではなく、例えば、バネ等の弾性力を利用した挟持具であっても良い。
【００４３】
このような構造のカレンダー１ｄにおいては、日付表示シート４〜７が中央部で二つに折り曲げられた形状ではないため、表頁９ａや裏頁９ｄを捲った場合に、頁を元の方向に閉じさせようとする力が発生しない。従って、日付表示シート４〜７において捲られた頁が勝手に閉じてしまうおそれがない。従って、暦の表示を切り替える際の作業を円滑に行うことが可能となる。
【００４４】
なお、本実施例では日付表示部を実施例１と同じ構成としたが、これに限定されるものではなく、例えば、日付表示部を実施例２や実施例３で示したような構成としても良い。また、日付表示シート４〜７の端部８ａ，８ｂを固定する方法として磁石１２を用いる代わりに、実施例１〜３に示したようにシート差込口４ａ〜７ａ，４ｂ〜７ｂを用いても良い。
【産業上の利用可能性】
【００４５】
以上説明したように、請求項１乃至請求項６に記載された本考案は、卓上用カレンダーについても適用可能である。
【図面の簡単な説明】
【００４６】
【図１】（ａ）は本考案の実施の形態に係るカレンダーの実施例１の外観図であり、（ｂ）及び（ｃ）はそれぞれ日付表示シートの外観斜視図及び台紙の正面図である。
【図２】（ａ）乃至（ｃ）は図１（ａ）の部分拡大図である。
【図３】（ａ）乃至（ｉ）は図１（ａ）を模式的に示した図である。
【図４】本考案の実施の形態に係るカレンダーの実施例２の外観図である。
【図５】（ａ）乃至（ｉ）は図４を模式的に示した図である。
【図６】本考案の実施の形態に係るカレンダーの実施例３の外観図である。
【図７】（ａ）乃至（ｉ）は図５を模式的に示した図である。
【図８】（ａ）は本考案の実施の形態に係るカレンダーの実施例４の外観図であり、（ｂ）及び（ｃ）はそれぞれ日付表示シートの外観斜視図及び台紙の正面図である。
【符号の説明】
【００４７】
１ａ〜１ｄ…カレンダー  ２…吊下げ具  ２ａ…吊下げ孔  ３…台紙  ３ａ〜３ｄ…綴じ部  ３ｅ〜３ｈ…シート配置部  ４〜７…日付表示シート  ４ａ〜７ａ…シート差込口  ４ｂ〜７ｂ…シート差込口  ８ａ，８ｂ…端部  ８ｃ…折り位置  ８ｄ…端縁部  ８ｅ…綴じ具取付け穴  ９ａ…表頁  ９ｂ，９ｃ…見開き頁  ９ｄ…裏頁  １０…綴じ具  １１…綴じ穴  １２…磁石  １３ａ，１３ｂ…分割シート  Ａ〜Ｅ…矢印
【図１】
0003143514.tif 000008
【図２】
0003143514.tif 000009
【図３】
0003143514.tif 000010
【図４】
0003143514.tif 000011
【図５】
0003143514.tif 000012
【図６】
0003143514.tif 000013
【図７】
0003143514.tif 000014
【図８】
0003143514.tif 000015